(57)【要約】【課題】色移りを防止して、色の濃い洗濯物と白い洗濯物を同時に洗えるようにする。【解決手段】複数の衣類を収容可能な衣類収容部１ａを設けた本体１と、衣類収容部１ａ内に衣類を支持するハンガー９と、ハンガー９で支持された衣類に洗濯水を供給する複数の噴射口１０と、噴射口１０に洗濯水を供給するポンプ１２と、噴射口１０とポンプ１２とを連通接続する複数の洗濯水経路１９と、ポンプ１２を制御する制御装置１８とを備え、各々の洗濯水経路１９を通る洗濯水は、各々異なる衣類に向けて供給されるようにしたものである。【選択図】図４
2014217495.tif 000002
【特許請求の範囲】
【請求項１】
複数の衣類を収容可能な衣類収容部を設けた本体と、
前記衣類収容部内に衣類を支持するハンガーと、
前記ハンガーで支持された衣類に洗濯水を供給する複数の噴射口と、
前記噴射口に洗濯水を供給するポンプと、
前記噴射口と前記ポンプとを連通接続する複数の洗濯水経路と、
前記ポンプを制御する制御装置とを備え、
各々の前記洗濯水経路を通る洗濯水は、各々異なる衣類に向けて供給されるようにした洗濯機。
【請求項２】
前記ポンプと接続する洗濯水経路を切り替える洗濯水経路切替装置を設けた請求項１に記載の洗濯機。
【請求項３】
洗濯時に洗濯水を供給する前記洗濯水経路の順序を選択する選択手段を設けた請求項２に記載の洗濯機。
【請求項４】
一方の洗濯水経路による洗濯時に用いた洗濯水を、他方の洗濯水経路による洗濯に用いるようにした請求項３に記載の洗濯機。
【請求項５】
前記噴射口を衣類の内側に配設した請求項１〜４のいずれか１項に記載の洗濯機。
【請求項６】
前記噴射口を衣類間に配設し、いずれか片側の衣類の方向へ洗濯水を供給するようにした請求項１〜４のいずれか１項に記載の洗濯機。
【請求項７】
前記衣類収容部に衣類を仕切る仕切り壁を設けた請求項１〜６のいずれか１項に記載の洗濯機。
【発明の詳細な説明】
【技術分野】
【０００１】
本発明は、衣類等の洗濯物を洗う洗濯機に関するものである。
【背景技術】
【０００２】
従来、この種の洗濯機は、衣類等の洗濯物を吊り下げた状態で固定し、洗浄液を移動させながら洗濯物に噴射するものが考えられている（例えば、特許文献１参照）。
【０００３】
図９は、特許文献１に記載された従来の洗濯システムを示すものである。図９に示すように、衣類等の洗濯物５１をハンガー５２に吊り下げて本体５３内に収容する。洗浄水を圧送するポンプ５４によって複数の噴射口５５から洗濯物５１に洗浄液を噴射し、洗浄するようにしたものである。
【先行技術文献】
【特許文献】
【０００４】
【特許文献１】特開２００３−３３５９７号公報
【発明の概要】
【発明が解決しようとする課題】
【０００５】
しかしながら、前記従来の構成では、色柄の異なる複数の衣類を同じ洗濯水で洗うと、色移りが発生してしまう恐れがあった。色移りとは、濃い色の衣類と白い色の衣類を同じ洗濯水で洗うと、濃い色の衣類から溶け出した着色成分が洗濯水に溶け込み、この洗濯水を使用して衣類を洗うことで、白い衣類に着色成分が付着して色の薄い衣類の色が変化してしまう現象である。この色移りは、従来の縦型洗濯機やドラム式洗濯機でも同じように起こる現象であり、一般的に、色落ちが予想される濃い色の衣類は、白い色の衣類と分けて洗われることから、洗濯に時間がかかり不便であるという課題があった。
【０００６】
本発明は、前記従来の課題を解決するもので、色移りを防止して、色の濃い洗濯物と白い洗濯物を同時に洗うことが可能な洗濯機を提供することを目的とする。
【課題を解決するための手段】
【０００７】
前記従来の課題を解決するために、本発明の洗濯機は、複数の衣類を収容可能な衣類収容部を設けた本体と、前記衣類収容部内に衣類を支持するハンガーと、前記ハンガーで支持された衣類に洗濯水を供給する複数の噴射口と、前記噴射口に洗濯水を供給するポンプと、前記噴射口と前記ポンプとを連通接続する複数の洗濯水経路と、前記ポンプを制御する制御装置とを備え、各々の前記洗濯水経路を通る洗濯水は、各々異なる衣類に向けて供給されるようにしたものである。
【０００８】
これによって、色柄の異なる複数の衣類を洗濯する際に、衣類に供給する洗濯水を衣類の色の濃淡により変えて、それぞれの衣類を洗う洗濯水が混じらないようにすることで、色移りを防止することができ、色の濃い洗濯物を分けて洗う必要がなく、白い洗濯物と同時に洗うことができる。
【発明の効果】
【０００９】
本発明の洗濯機は、色移りを防止して、色の濃い洗濯物と白い洗濯物を同時に洗うことができる。
【図面の簡単な説明】
【００１０】
【図１】本発明の実施の形態１における洗濯機の外観図
【図２】同洗濯機の扉を開いた状態の外観図
【図３】同洗濯機の要部断面図
【図４】同洗濯機の要部断面図
【図５】本発明の実施の形態２における洗濯機の要部断面図
【図６】本発明の実施の形態３における洗濯機の要部断面図
【図７】（ａ）（ｂ）同洗濯機のハンガーの一部切欠要部断面図
【図８】同洗濯機のハンガーの他の例の外観図
【図９】従来の洗濯システムの構成図
【発明を実施するための形態】
【００１１】
第１の発明は、複数の衣類を収容可能な衣類収容部を設けた本体と、前記衣類収容部内に衣類を支持するハンガーと、前記ハンガーで支持された衣類に洗濯水を供給する複数の噴射口と、前記噴射口に洗濯水を供給するポンプと、前記噴射口と前記ポンプとを連通接続する複数の洗濯水経路と、前記ポンプを制御する制御装置とを備え、各々の前記洗濯水経路を通る洗濯水は、各々異なる衣類に向けて供給されるようにしたことにより、色柄の異なる複数の衣類を洗濯する際に、衣類に供給する洗濯水を衣類の色の濃淡により変え、それぞれの衣類を洗う洗濯水が混じらないようにすることで、衣類から溶け出した色や汚れの成分を含んだ洗濯水が、他の衣類に供給されるのを防いで色移りを防止することができ、色の濃い洗濯物を分けて洗う必要がなく、白い洗濯物と同時に洗うことができ、効率よく洗濯することができる。
【００１２】
第２の発明は、特に、第１の発明において、ポンプと接続する洗濯水経路を切り替える洗濯水経路切替装置を設けたことにより、より簡易で安価な構成で色移りを防止することができるとともに、分け洗いをする必要がない場合は、洗濯水経路を切り替えて省エネで洗濯することができる。
【００１３】
第３の発明は、特に、第２の発明において、洗濯時に洗濯水を供給する洗濯水経路の順序を選択する選択手段を設けたことにより、洗濯する衣類に応じて使用者が洗い方を選択することができ、衣類の特性に合わせて最適な洗濯を行うことができる。
【００１４】
第４の発明は、特に、第３の発明において、一方の洗濯水経路による洗濯時に用いた洗濯水を、他方の洗濯水経路による洗濯に用いるようにしたことにより、白い色の衣類を洗った洗濯水で濃い色の衣類を洗うことで、より少ない水量で色移りをなくして洗濯することができる。
【００１５】
第５の発明は、特に、第１〜第４のいずれか１つの発明の噴射口を衣類の内側に配設したことにより、洗濯中に洗濯水が対象の衣類以外の衣類への飛散を防ぐことができ、他の衣類への色移りを防止することができる。
【００１６】
第６の発明は、特に、第１〜第４のいずれか１つの発明の噴射口を衣類間に配設し、いずれか片側の衣類の方向へ洗濯水を供給するようにしたことにより、洗濯中に洗濯水が対象の衣類以外の衣類へ飛散するのを防ぐことができ、他の衣類への色移りを防止することができる。
【００１７】
第７の発明は、特に、第１〜第６のいずれか１つの発明において、衣類収容部に衣類を仕切る仕切り壁を設けたことにより、洗濯中に洗濯水が対象の衣類以外の衣類への飛散を防ぐことができ、他の衣類への色移りを防止することができる。
【００１８】
以下、本発明の実施の形態について、図面を参照しながら説明する。なお、この実施の
形態によって本発明が限定されるものではない。
【００１９】
（実施の形態１）
図１は、本発明の第１の実施の形態における洗濯機の外観図、図２は、同洗濯機の扉を開いた状態の外観図、図３および図４は、同洗濯機の要部断面図である。
【００２０】
図１〜図４において、本発明の第１の実施の形態にかかる洗濯機は、本体１内の上部の大部分に形成した衣類収容部１ａと、本体１内の衣類収容部１ａの下方に形成した機械室１ｂを有している。衣類収容部１ａは、前面が開放可能な扉２を有し、扉２は、本体１に取着したヒンジ３によって開閉自在に支持している。
【００２１】
扉２は、左端の上下部にヒンジ３を設け、扉２の右端近傍の前面部に、開閉用の取っ手４を設けて左開きするようにしている。扉２の前面部には、運転用の操作部と運転モードや運転状況等を表示する操作表示装置５を設けている。機械室１ｂは、前面に開閉自在な機械扉６を有し、機械扉６の下部を支点に手前側へ回動させて、下方に開くように取り付けられている。
【００２２】
扉２の内側の本体１と接する部分には、扉２の周縁部に沿って防水パッキン７が設けられている。一方、本体１内の扉２と対向する位置に、開閉スイッチ（図示せず）が設けられている。開閉スイッチの操作部１ｃは本体１の前面部に突出し、扉２が閉じられたときに扉２により押圧されてオン状態になり、扉２が開かれると押圧が解除されてオフ状態になるように構成されている。
【００２３】
本体１の衣類収容部１ａ内には、衣類収容部１ａの左右の壁面にハンガーポール８の両端部を固定している。ハンガーポール８は、衣類収容部１ａの前後方向の略中央部に取り付けられており、衣類Ｘが掛かったハンガー９をかけるように構成されている。
【００２４】
ハンガーポール８は、ハンガーポール用モータ（図示せず）によって上下振動可能に設けられている。また、ハンガーポール８には、ハンガー９が３つ吊り下げられるような吊り下げ部が衣類収容部１ａ内で略均等に構成されている。衣類収容部１ａの複数の内面には、衣類Ｘの外側から洗濯水を噴射する複数の噴射口１０（１０ａ、１０ｂ、１０ｃ、１０ｄ）が設けられている。
【００２５】
衣類収容部１ａの底部には３つの水溜め部１１（１１ｘ、１１ｙ、１１ｚ）が設けられている。水溜め部１１は、後部から扉２が設けられている前部に向けて、底面１１ａを前下がりに傾斜させて構成しており、扉２を開いた状態で前部から流出しないように一定程度の水量が溜められるようになっている。
【００２６】
本体１内の機械室１ｂ内には、洗濯水を循環させるための３つのポンプ１２（１２ｘ、１２ｙ、１２ｚ）と、ポンプ１２と水溜め部１１とを連通接続させる３つの循環経路１３（１３ｘ、１３ｙ、１３ｚ）と、循環経路１３中に着脱自在に設けた３つの洗剤ケース１４（１４ｘ、１４ｙ、１４ｚ）と、３つのフィルタ１５（１５ｘ、１５ｙ、１５ｚ）と、フィルタ１５とポンプ１２との間の循環経路１３に設けた３つの排水弁１６（１６ｘ、１６ｙ、１６ｚ）と、排水弁１６と機外とを連通接続する３つの排水経路１７（１７ｘ、１７ｙ、１７ｚ）と、ポンプ１２と排水弁１６を制御する制御装置１８を設けている。
【００２７】
排水弁１６は、循環経路１３およびポンプ１２と同じか、それより下方に設けられている。また、ポンプ１２と複数の各噴射口１０とを連通接続する洗濯水経路１９（１９ｘ、１９ｙ、１９ｚ）が設けられている。
【００２８】
衣類収容部１ａ内には、ハンガー９に支持された３着の衣類Ｘ、Ｙ、Ｚ（衣類Ｙは図示省略）を仕切るように２つの仕切り壁２０が設けられ、衣類収容部１ａ内を３つの部屋に画成している。仕切り壁２０内にも洗濯水経路１９が設けられており、噴射口１０も衣類Ｘ、Ｙ、Ｚに向けて各々複数設けられている。
【００２９】
外部水栓Ｃと本体１は、ホースＤで接続されており、ホースＤを通って流入した水は、本体１内の給水弁（図示せず）を介して衣類収容部１ａ内の水溜め部１１（１１ｘ、１１ｙ、１１ｚ）に供給されるように構成されている。
【００３０】
以上のように構成された洗濯機について、以下その動作、作用を説明する。衣類の洗濯プログラムの実行による動作の詳細を以下に説明する。洗濯の手順の概要を示す。洗濯は洗い工程、すすぎ工程、脱水工程からなる。洗い工程での手順を示す。まず、使用者は扉２を開けて、洗濯する衣類Ｘおよび衣類Ｚをハンガー９に掛け、衣類収容部１ａ内のハンガーポール８に吊り下げる。
【００３１】
次に、洗剤等を洗剤ケース１４に供給して扉２を閉じると、開閉スイッチ（図示せず）の操作部１ｃを押圧してオンされ、制御装置１８は扉２が閉じられたことを検知する。使用者は操作表示装置５を操作して、洗濯を行う衣類の種類別や、汚れ度合別に設けられたコースの中から最適なものを選択し、洗濯を開始する。
【００３２】
洗い工程が始まると、制御装置１８は、給水弁（図示せず）を開いて水を３つの水溜め部１１に供給し、水と洗剤が混合される。供給された水は、３つの水溜め部１１からそれぞれ接続された３つの循環経路１３に流入し、それぞれフィルタ１５および排水弁１６を介してポンプ１２まで流入する。
【００３３】
制御装置１８は、その後、３つの排水弁１６を閉じて３つのポンプ１２を駆動し、洗濯水を矢印イ方向に循環させる。制御装置１８によってポンプ１２を駆動させると、洗濯水は、洗濯水経路１９を矢印イ方向へ流れ、複数の噴射口１０より衣類Ｘおよび衣類Ｚの外側から衣類Ｘおよび衣類Ｚに供給される。
【００３４】
衣類Ｘに噴射された洗濯水は仕切り壁２０で仕切られているため、必ず水溜め部１１ｘに落下する。水溜め部１１ｘに落下した洗濯水は、循環経路１３ｘを経てポンプ１２ｘで加圧され、洗濯水経路１９ｘを通って再び衣類Ｘの洗浄のために使用される。
【００３５】
一方、衣類Ｚに噴射された洗濯水は仕切り壁２０で仕切られているため、必ず水溜め部１１ｚに落下する。水溜め部１１ｚに落下した洗濯水は、循環経路１３ｚを経てポンプ１２ｚで加圧され、洗濯水経路１９ｚを通って再び衣類Ｚの洗浄のために使用される。
【００３６】
水溜め部１１、循環経路１３、洗剤ケース１４、フィルタ１５、排水弁１６、ポンプ１２、洗濯水経路１９、噴射口１０からなる３つの洗濯水循環経路はそれぞれ独立しており、洗濯水が混ざり合うことはなく、各々異なる衣類Ｘ、Ｙ、Ｚに向けて供給され、洗浄しながら循環する。
【００３７】
制御装置１８は、予め設定された所定時間、洗濯水を循環させ、上記のように汚れを衣類Ｘおよび衣類Ｚから除去する。その後、制御装置１８はポンプ１２を停止して排水弁１６を開放し、水溜め部１１や循環経路１３に溜まった洗濯水を機外へ排出し、洗い工程を終了する。
【００３８】
洗い工程が終了すると、すすぎ工程に移る。制御装置１８は給水弁を開放するとともに排水弁１６を閉じ、水溜め部１１に水を溜める。所定の時間が経過すると、制御装置１８
は給水弁を閉じ、３つのポンプ１２を駆動する。
【００３９】
洗い工程の終了とともに汚れと洗剤の混ざった洗濯水が排水されているので、汚れの含まない水を衣類Ｘ、Ｚに噴射することになり、衣類Ｘ、Ｚに残った汚れや洗剤などを洗い落とす。３つのポンプ１２を駆動させて所定時間経過すると、制御装置１８は３つのポンプ１２を停止させて、３つの排水弁１６を開放して排水する。以上の給水から排水までのプロセスを複数回行ってすすぎ工程を終了する。
【００４０】
すすぎ工程が終了すると、脱水工程に移る。制御装置１８は排水弁１６を開き、ハンガーポール用モータ（図示せず）を動作させ、ハンガーポール８を上下振動させる。ハンガーポール８の上下振動により衣類Ｘ、Ｚから水が落下していく。所定時間ハンガーポール用モータを動作させた後、制御装置１８はハンガーポール用モータの動作を停止し、脱水工程を終了する。脱水工程が終了すると、制御装置１８は操作表示装置５に取り付けられたスピーカーから運転終了を知らせるメロディを流して報知する。
【００４１】
なお、洗濯をしていない場合は、開閉スイッチ（図示せず）がオフの状態、つまり、扉２が開かれた状態では、制御装置１８は運転を開始しない。一方、洗濯中は、開閉スイッチ（図示せず）がオフの状態になると、制御装置１８は、ポンプ１２やハンガーポール用モータ（図示せず）の動作を停止し、給水弁（図示せず）と排水弁１６は閉じる。
【００４２】
以上のように、本実施の形態においては、複数の衣類を収容可能な衣類収容部１ａを設けた本体１と、衣類収容部１ａ内に衣類を支持するハンガー９と、ハンガー９で支持された衣類に洗濯水を供給する複数の噴射口１０と、噴射口１０に洗濯水を供給するポンプ１２と、噴射口１０とポンプ１２とを連通接続する複数の洗濯水経路１９と、ポンプ１２を制御する制御装置１８とを備え、各々の洗濯水経路１９を通る洗濯水は、各々異なる衣類に向けて供給されるようにしたものであり、複数の洗濯水循環経路をそれぞれの洗濯水が混じり合うことがないよう完全に独立した状態で循環させて洗濯を行うことができ、衣類Ｘから着色成分が洗濯水に溶出したとしても、この着色成分が衣類Ｚに付着することはなく、色移りを防いで同時に色柄の異なる複数の衣類を洗濯することが可能となる。
【００４３】
また、本実施の形態においては、噴射口１０を衣類間に設け、一方の衣類にのみ洗濯水を噴射することで、洗濯水が他の衣類に飛散して色移りの原因になることを低減することが可能となる。
【００４４】
また、本実施の形態においては、仕切り壁２０を設けることで、それぞれの衣類用の洗濯水が混じり合うことがなくなるので、色移りを防いで同時に複数の衣類を洗濯することが可能となる。
【００４５】
なお、仕切り壁２０は固定式でもよいが、扉２が開いているときは衣類収容部１ａ外に収納されており、扉２が閉まった後受発光素子などで遮る衣類がないと検知した場合は、自動的に衣類を仕切る位置に移動する構成であると、使用者が衣類のセットを容易にすることができ、また、本来仕切り壁２０がある部分をまたがってセットすることが必要な大型の衣類を洗浄することが可能になるなど、使い勝手を向上することができる。
【００４６】
なお、仕切り壁２０に噴射口１０や洗濯水経路１９がないと、仕切り壁２０の構成を簡略にすることができ、より衣類を収容する空間を確保することができる。
【００４７】
なお、仕切り壁２０がない場合において、衣類間に水溜め部１１から立ち上がる中空のポールを設け、このポールの内部に洗濯水経路を設けるとともに、ポールの外面に噴射口を設けて衣類に向けて洗濯水を噴射するような構成とすると、仕切り壁２０がなくてもそ
れぞれの衣類用の洗濯水はそれ以外の衣類の方に飛び散ることが低減されるので、洗濯水が混じり合うことを低減することができる。
【００４８】
（実施の形態２）
図５は、本発明の第２の実施の形態における洗濯機の要部断面図である。本実施の形態の特徴は、ポンプ１２と接続される洗濯水経路１９を切り替える洗濯水経路切替装置２１を設けたものである。水溜め部１１、循環経路１３、洗剤ケース１４、フィルタ１５、排水弁１６、ポンプ１２を各々一つずつ設けるとともに、これらを複数設ける代わりに洗濯水経路切替装置２１を設けている。
【００４９】
実施の形態１と同じように、洗濯水経路１９は３つ（１９ｘ、１９ｙ、１９ｚ）設けられており、ポンプ１２に接続される洗濯水経路１９は任意に選択可能に構成されている。また、仕切り壁は存在しない。他の構成は実施の形態１と同じであり、同一の構成に同一の符号を付して、詳細な説明は実施の形態１のものを援用する。
【００５０】
以上のように構成された洗濯機について、以下その動作、作用を説明する。基本的な動作は、実施の形態１と同様であるので実施の形態１のものを援用する。
【００５１】
使用者は、色落ちしにくい衣類（衣類Ｘ）を含む複数の衣類を洗濯する場合に、洗濯する衣類をハンガー９にセットし扉２を閉じた後、操作表示装置５により分け洗い洗浄コースを選択し、その後、どの部分に色落ちしやすい衣類をセットしたかを入力する。
【００５２】
操作表示装置５には、洗濯時に洗濯水を供給する洗濯水経路１９の順序を選択する選択手段（図示せず）を設けてあり、この選択手段によって衣類の洗濯順序を設定し、洗濯運転を開始する。洗濯の順序は、色落ちしにくいものから洗濯されるように設定する。例えば、最初に色の白いものを洗い、続いて柄物を洗い、色の濃いものが最後である。
【００５３】
洗い工程においては、制御装置１８はまず、色落ちしにくい衣類Ｘの洗浄を開始する。制御装置１８は、洗濯水経路切替装置２１を動作させて、ポンプ１２と洗濯水経路１９ｘとを接続する。洗濯水経路１９ｘと接続された複数の噴射口１０から洗濯水を衣類Ｘに噴射する。
【００５４】
衣類Ｘから落下した洗濯水は水溜め部１１に落下し、循環経路１３、洗剤ケース１４、フィルタ１５、排水弁１６を介してポンプ１２に戻り、再び衣類Ｘに噴射される。噴射口１０から噴射された洗濯水は衣類Ｘに当たって落下するので、衣類Ｚにまで届くことはない。
【００５５】
洗濯水を所定時間循環させて衣類Ｘの洗浄が終わると、続いて、排水することなく同じ洗濯水を利用して次の衣類Ｚの洗浄を開始する。制御装置１８は、洗濯水経路切替装置２１を動作させ、洗濯水経路１９ｚがポンプ１２と接続されるようにしてポンプ１２を駆動し、衣類Ｚの洗浄を行う。
【００５６】
洗い工程が終わると、すすぎ工程を開始する。制御装置１８は、排水弁１６を動作させて洗濯水を排水する。その後、給水弁を開いて新しく水を供給し、色落ちしにくい衣類Ｘからすすぎを開始する。すすぎ工程が終わると、それ以降は実施の形態１と同じように制御する。
【００５７】
次に、色移りの恐れがない衣類を複数洗う場合は、制御装置１８は、洗濯水経路切替装置２１を動作させて、３つの洗濯水経路１９（１９ｘ、１９ｙ、１９ｚ）がポンプ１２と同時に連通接続されるようにする。これにより、実施の形態１のように３つのポンプを動
かすことなく、１つのポンプ１２のみを動かすことで、同時に複数の衣類を洗浄することが可能となる。
【００５８】
また、３つの洗剤ケース１４に各々洗剤を入れる必要がなくなるとともに、３つのフィルタ１５を手入れする必要もなくなり、使い勝手をよくすることができる。
【００５９】
以上のように、本実施の形態においては、ポンプ１２と接続する洗濯水経路１９を切り替える洗濯水経路切替装置２１を設けたものであり、１つなど少ないポンプ１２で衣類ごとに洗濯水を分けて洗浄することが可能となり、簡易で安価に色移りを防止することができる。
【００６０】
（実施の形態３）
図６は、本発明の第３の実施の形態における洗濯機の要部断面図、図７は、同洗濯機のハンガーの一部切欠要部断面図で、（ａ）はハンガー２２をハンガーポール８にセットした状態、（ｂ）はハンガー２２をハンガーポール８から外した状態である。
【００６１】
本実施の形態の特徴は、噴射口２４を衣類Ｘの内側に配設したものであり、ハンガー２２は、襟から肩部のみを支持するとともに袖内にも延び、また、身頃の下部まで延びた形状となっている。ハンガー２２は内部に洗濯水経路２３を有し、外表面に噴射口２４を有している。他の構成は実施の形態１と同じであり、同一の構成に同一の符号を付して、詳細な説明は実施の形態１のものを援用する。
【００６２】
ハンガーポール８のハンガー２２をセットする部分に丸穴８ａが開けられており、この丸穴８ａの内側にパッキン２５が設けられている。パッキン２５は、ハンガーポール８の丸穴８ａを閉じる方向へ、内方から押し付けられるようにバネ（図示せず）によって付勢されている。
【００６３】
ハンガー２２がハンガーポール８にセットされたときは、パッキン２５はハンガー２２に設けた突起２２ａによって押圧され、図７（ａ）のように、付勢力に抗してハンガーポール８の内側に入り込み、ハンガーポール８内の洗濯水がハンガー２２内に流れ込む。ハンガー２２がハンガーポール８から外されると、パッキン２５が丸穴８ａを閉じ、ハンガーポール８から水は流出しなくなる。
【００６４】
洗濯水経路２３は、ハンガーポール８内に設けられた洗濯水経路１９と連通接続されており、ポンプ１２から洗濯水経路１９を通ってきた洗濯水がハンガー２２内に入り込み、衣類Ｘの内部から衣類Ｘに向けて洗濯水を噴射する。
【００６５】
衣類Ｘから落下した洗濯水は水溜め部１１に落下し、循環経路１３、洗剤ケース１４、フィルタ１５、排水弁１６を介してポンプ１２に戻り、再び衣類Ｘに噴射される。衣類Ｘの内側から噴射された洗濯水は、衣類Ｘを突き抜けて衣類Ｚまで到達することはなく、衣類Ｘを通過すると勢いがなくなって落下する。
【００６６】
その他の噴射口１０（１０ａ、１０ｂ、１０ｃ）から噴射された洗濯水も衣類Ｘに当たって落下するので、他の衣類Ｚにまで届くことはない。
【００６７】
以上のように、本実施の形態においては、噴射口２４を衣類の内側に配設したものであり、衣類の内側から衣類に向かって洗濯水を噴射することで、洗濯水が他の衣類まで飛散することなく、色移りを防止することができる。
【００６８】
また、本実施の形態においては、色落ちしやすい衣類を後で洗うことで、色の異なる衣
類を同じ洗濯水で洗った場合でも、色移りを防止することができる。
【００６９】
また、本実施の形態におけるハンガー２２は、例えば、図８に示すように、衣類の肩部を支持するような小型のハンガー２６でもよく、衣類の内側の広い範囲に洗濯水が噴射できるものであれば、同様の効果が得られる。
【００７０】
なお、上記すべての実施の形態において、本体１は必ずしも箱型でなくても、円筒形や尖塔形状など他の形でも、衣類をハンガーにより支持した状態で収容することができればよい。
【００７１】
なお、上記すべての実施の形態において、機械扉６は扉２と一体化されていてもよい。
【００７２】
なお、上記すべての実施の形態において、送風用のファンを設けて、衣類を乾燥させる機能が付加されてもよい。
【００７３】
なお、上記すべての実施の形態において、扉２は片開きの扉であるが、両開きの扉や、シャッターなど他の扉でもよく、本体１内からの水漏れが防止できればよい。
【００７４】
なお、上記すべての実施の形態において、ハンガーの数は３つに限定されるものではなく、２以上であればよい。
【産業上の利用可能性】
【００７５】
以上のように、本発明にかかる洗濯機は、色移りを防止して、色の濃い洗濯物と白い洗濯物を同時に洗うことができるので、洗濯機として有用である。
【符号の説明】
【００７６】
１  本体
１ａ  衣類収容部
９、２２、２６  ハンガー
１０、２４  噴射口
１２  ポンプ
１８  制御装置
１９、２３  洗濯水経路
２０  仕切り壁
２１  洗濯水経路切替装置
【図１】
2014217495.tif 000003
【図２】
2014217495.tif 000004
【図３】
2014217495.tif 000005
【図４】
2014217495.tif 000006
【図５】
2014217495.tif 000007
【図６】
2014217495.tif 000008
【図７】
2014217495.tif 000009
【図８】
2014217495.tif 000010
【図９】
2014217495.tif 000011